(57)【要約】【課題】  ２ＷＡＹなどのリュックとする機能がないかばん又は携帯用袋物に、リュックの肩紐の機能を作り出し、リュックとして使用できるリュック用補助具及びその使用方法を提供する。【解決手段】  中心から放射状に、少なくとも３本の長さの調整ができる紐体又は帯体を組み合わせ、その各先端に、かばん又は携帯用袋物の肩紐の略中央部、及び該肩紐の両端部又はその近傍に接続するための部品を設けたリュック用補助具を、かばん又は携帯用袋物に接続することで、リュックの肩紐の機能を作り出し、腕を通す箇所ができる。【選択図】図１
2018051316.tif 000002
【特許請求の範囲】
【請求項１】
中心から放射状に、少なくとも３本の紐体又は帯体を組み合わせ、その各先端に、かばん又は携帯用袋物に接続するための部品を設けた、かばん又は携帯用袋物にリュックの肩紐の機能を作り出すリュック用補助具。
【請求項２】
前記紐体又は帯体に、長さの調整ができる部品を付ける請求項１記載のリュック用補助具。
【請求項３】
かばん又は携帯用袋物の肩紐の略中央部、及び該肩紐の両端部又はその近傍に、前記リュック用補助具を接続することを特徴とする請求項１又は２に記載のリュック用補助具を用いて、リュックサックの肩紐の機能を作り出すリュック用補助具の使用方法。
【発明の詳細な説明】
【技術分野】
【０００１】  この発明は、かばん又は携帯用袋物に、リュックの肩紐の機能を作り出すリュック用補助具及びその使用方法に関するものである。
【背景技術】
【０００２】  従来、かばん又は携帯用袋物をリュックとするためには、リュックとするための機能が付いたバック（２ＷＡＹバック）がある。しかし、２ＷＡＹバックは、デザインや素材など選択する余地がなく、デザインや素材を重視すると、リュックとするための機能が付いていかばん又は携帯用袋物が多かった。
【先行技術文献】
【特許文献】
【０００３】
【特許文献１】実登３１４８６０６号公報
【特許文献２】実登３０３９９６８号公報
【発明の概要】
【発明が解決しようとする課題】
【０００４】  ショルダーバック等の肩に提げられるかばん又は携帯用袋物は、中の荷物が取り出しやすく、満員電車の中でも、そのまま肩に提げていられる。しかし、長時間肩に提げていたり、荷物が重くなると、片方の肩への負担が増し、身体が傾いたりして背骨にもよくない。また、重い荷物が足に当たり歩きにくい状態にもなる。そんな時にリュックとなれば、両肩に荷物の重みが分散し、背筋もまっすぐに姿勢よく歩け、また、人にもよるが、荷物を軽く感じる人もいる。しかし、デザインや素材を重視すると、２ＷＡＹバックなどのリュックとするための機能がないかばん又は携帯用袋物となり、リュックとすることができない。
本発明は、リュックとする機能がないかばん又は携帯用袋物に、リュックの肩紐の機能を作り出し、リュックとして使用できるようになされたものである。
【課題を解決するための手段】
【０００５】  課題を解決するために、本発明は、以下の構成よりなるリュック用補助具を用いて、かばん又は携帯用袋物にリュックの肩紐の機能を作り出し、リュックとして使用できるようにする。
リュック用補助具の構成は、中心から放射状に少なくとも３本の紐体又は帯体を組み合わせ、その各先端に、かばん又は携帯用袋物に接続するための部品を設ける。この部品を、かばん又は携帯用袋物の肩紐の略中央部、及び該肩紐の両端部又はその近傍に接続することで、リュックの肩紐の機能を作り出し、腕を通す箇所（図１の９）ができる。
【発明の効果】
【０００６】  ２ＷＡＹバックなどのリュックとする機能がないかばん又は携帯用袋物を、本発明のリュック用補助具を使用することで、リュックの肩紐の機能を作り出し、リュックとして使用することができるため、２ＷＡＹバックなどのデザインや素材に限定されることなく、自由にデザインや素材を重視したかばん又は携帯用袋物を選択することができる。
【図面の簡単な説明】
【０００７】
【図１】本発明をショルダーバックに取り付けた正面図（実施例１）
【図２】本発明を背負ったときの背面図（実施例１）
【図３】本発明の正面斜視図
【図４】本発明の背面斜視図
【図５】本発明をショルダーバックに取り付けた正面図（実施例２）
【図６】補助用ベルトを使用した場合の正面図（実施例２）
【図７】本発明の中心の部品及び長さ調整の部品の正面図
【図８】本発明の紐体又は帯体の先端に付ける部品の正面図
【発明を実施するための形態】
【０００８】  リュック用補助具の構成は、中心から放射状に少なくとも３本の紐体又は帯体を組み合わせ、その各先端に、かばん又は携帯用袋物に接続するための部品を設ける。この部品を、かばん又は携帯用袋物の肩紐の略中央部、及び該肩紐の両端部又はその近傍に接続することで、リュックの肩紐の機能を作り出し、腕を通す箇所（図１の９）ができる。また、紐体又は帯体には、長さの調整ができる部品を設ける。
【０００９】  図７は、紐体又は帯体を放射状にするための中心の部品、及び紐体又は帯体の長さを調整する部品の正面図であり、中心の部品には、背カン（１）、三角カン（１２）、丸カン（１３）、Ｄカン（１０）などがある。また、紐体又は帯体を布や皮で挟み接着又は縫合する方法もがあるが、紐体又は帯体を放射状に配することができるのであれば、特に特定するものではない。なお、中心部品を接着又は縫合により固定する場合は、角カン（６）などを挟み、紐体又は帯体の長さの調整ができるようにする。
【００１０】  紐体又は帯体の長さを調整する部品は、サスペンダー用のアジャスター（３）、移動カン（１４）、美錠（１５）、コードストッパー（１６）などがあるが、紐体又は帯体の長さを調整することができるのであれば、特に特定するものではない。
【００１１】  紐体とは、糸よりも太く綱よりも細いもので、リュックの肩紐の機能として使用できるものであり、特に特定するものではない。
【００１２】  帯体とは、幅のある細長いものであり、リュックの肩紐の機能として使用できるものであり、特に特定するものではない。
【００１３】  かばん又は携帯用袋物は、例えば、ボストンバックやハンドバックなどのように、本発明を接続するのに必要な肩紐があって、かつ、人が背負うことのできる大きさであり、特に特定するものではない。
【００１４】  肩紐は、本発明を使用した時に、背負うことが出来る長さとなり、肩紐の両端が、かばん又は携帯用袋物に接続されていることを必要とする。
【００１５】  図８は、かばん又は携帯用袋物の肩紐の略中央部、及び該肩紐の両端部又はその近傍に接続する部品の正面図であり、肩紐の略中央部に接続する部品は、サスペンダークリップ（４）、ボタン（１７）、面ファスナー（１８）、ゴム紐（１９）、紐（２０）、ベルト（２１）などがあり、横滑りしない摩擦力のある素材が望ましいが、かばん又は携帯用袋物の肩紐の略中央部に接続できるものであれば、特に特定するものではない。なお、ゴム紐を使用する場合は、ゴム紐を輪にして紐体又は帯体に付け、ひばり結びで接続する。
【００１６】  肩紐の両端部又はその近傍に接続する部品は、ナスカン（５）、ボタン（１７）、面ファスナー（１８）、紐（２０）、ベルト（２１）、サスペンダークリップなどがあるが、肩紐の両端部又はその近傍に接続できるものであれば、特に特定するものではない。
【実施例１】
【００１７】  図３及び図４は、本発明の形状の１つである。構成は、中心から放射状にバンド（２）を背カン（１）で組み合わせ、バンド（２）は、サスペンダー用のアジャスター（３）で長さの調整をすることができる。背カンの短い辺を上部とし、その上部に通したバンドの先端に、サスペンダークリップ（４）を付け、背カンの長い辺の２か所に通したバンドの先端に、サスペンダークリップ（４）とナスカン（５）を付け、かばん又は携帯用袋物に接続できるようにした。【００１８】  背カンの長い辺の２か所に通したバンドの先端に部品を２つ付けたのは、かばん又は携帯用袋物の肩紐の両端部又はその近傍の部分が、Ｄカンなどのカン類で接続されている場合は、ナスカンで接続する方がサスペンダークリップに比べ外れないためであり、サスペンダークリップのみでもよい。【００１９】  図１は、本発明を肩紐の両端部分が縫合されているショルダーバックに使用する場合である。ショルダーバックの肩紐の略中央部（１１）に背カンに通した３本のバンドの先端に付けたサスペンダークリップ（４）の１つを接続する。次にショルダーバックの肩紐の両端部又はその近傍（８）に、残り２つのサスペンダークリップ（４）を接続する。それにより、腕を通す箇所（９）ができる。腕を通して背負ったイメージは図２となる。【００２０】  体の大きい人が利用する場合は、腕を通す箇所（９）を大きくする必要があるため、ショルダーバックの肩紐の長さ若しくは本発明のバンドの長さ、又はその両方により長さを調節し対応する。
【実施例２】
【００２１】  図５は、本発明を肩紐の両端部又はその近傍がＤカンで接続されているショルダーバックで、そのＤカンに使用する場合である。肩紐の略中央部に接続する方法は（実施例１）と同様である。肩紐の両端部又はその近傍のＤカンには、ナスカン（５）で接続する。または、肩紐にサスペンダークリップで接続する方法でもよい。【００２２】ショルダーバックの収納物が重くなる場合に、ショルダーバックの肩紐の略中央部、及び該肩紐の両端部又はその近傍に接続する部品が万が一外れることが生じても、リュックの形状が崩れないように、接続した部品のほかに補助用ベルト（図６の７）を設ける。補助用ベルトの使用は任意である。【００２３】  補助用ベルトは、面テープで留める方法や紐を通して結ぶ方法もある。
【符号の説明】
【００２４】（１）  背カン
（２）  バンド
（３）  サスペンダー用アジャスター
（４）  サスペンダークリップ
（５）  ナスカン
（６）  角カン
（７）  補助用ベルト
（８）  ショルダーバックの肩紐の両端部又はその近傍
（９）  腕を通す箇所
（１０）Ｄカン
（１１）ショルダーバックの肩紐の略中央部
（１２）三角カン
（１３）丸カン
（１４）移動カン
（１５）美錠
（１６）コードストッパー
（１７）ボタン
（１８）面ファスナー
（１９）ゴム紐
（２０）紐
（２１）ベルト
【図１】
2018051316.tif 000003
【図２】
2018051316.tif 000004
【図３】
2018051316.tif 000005
【図４】
2018051316.tif 000006
【図５】
2018051316.tif 000007
【図６】
2018051316.tif 000008
【図７】
2018051316.tif 000009
【図８】
2018051316.tif 000010